(57)【要約】      （修正有）【課題】簡単な構造で、フローリングシートを折りこむことなく開いた状態でワイパーヘッドに着脱自在にし、かつその表裏面の両面の全面を清掃稼働面にして床面に存在する塵埃を効率よく且つ経済的に適確に補足することを可能にしたフローリングワイパーを提供する。【解決手段】掃除する人が操作する長い把手１００と、把手の先端に首振り可能に連接されたワイパーヘッド３００とからなるフローリングワイパーにおいて、ワイパーヘッドの下面に弾性変形可能なパッド４００Ａを配設し、パッドの下面にクッション凹凸部４００−１を形成し、パッドを介してフローリングシートをふんわりと押し圧しながら床面に沿って滑り接触清掃可能にした。【選択図】図１
0003222284.tif 000002
【実用新案登録請求の範囲】
【請求項１】
掃除する人が操作する長い把手と、この把手の先端に首振り可能に連接されたワイパーヘッドとからなるフローリングワイパーにおいて、前記ワイパーヘッドの下面に弾性変形可能なパッドを配設し、このパッドの下面にクッション凹凸部を形成し、このパッドを介してフローリングシートを押し圧保持して床面に沿って滑り接触清掃可能にしたことを特徴とするフローリングワイパー。
【考案の詳細な説明】
【技術分野】
【０００１】  本考案は、床、じゅうたん、畳、家具の表面その他の掃除の時に、ヘッド下面でフローリングシートをふんわりパッドで押さえ保持するのみで床面を効率よく拭き清掃するふんわりパッド付きのフローリングワイパーに関する。
【背景技術】
【０００２】  従来のフローリングワイパーは、掃除する人が操作する長い把手と、この把手の先端に首振り可能に連接され下部でフローリングシートを保持して床面に沿って滑り接触可能にしたワイパーヘッドとからなる。
このワイパーヘッドは、薄手のフローリングシートを着脱自在に取付ける構造として、下部側からその背面部にかけてフローリングシートを被せ装着し、背面部に設けた押さえ具で剥がれることを防止するものである。
フローリングシートは、紙製、繊維製などがあるが前記ワイパーヘッドへの装着が甚だ煩雑であり、また床面に当接する部分を除き大半が該背面部にまわり清掃後はそのまま捨てられるため不経済である。
フローリングシートの前記押さえ具は次の各特許文献にて紹介のように、フローリングシートの端部をヘッドの背面に折込みそっくり挟み込むタイプ、保持板の上部に設けた切込み部に押し込んで挟み込むタイプ、スリットと突起に係合するタイプ、係止孔に押し込むタイプ等がある。
【先行技術文献】
【特許文献】
【０００３】
【特許文献１】特開平９−３２７４２８号公報：特徴「清掃用シート等の清掃用部材を下面に配置する清掃用部材の保持具において、保持具の上面に、保持具の概ね中央部を中心として順次径が大きくなってゆく複数の楕円形又は円形のリブを形成している。また、保持具上面の中央部にハンドルを連結するためのハンドル取付部を設け、各リブの高さを、ハンドル取付部の位置する中心側から外方側のリブに行くに従い、順次低くなるようにしている。さらには、保持具の上面に係止用突起を形成し、清掃用シートの保持具短手方向両側にスリットを形成すると共に清掃用シートの両側を保持具上面へと折り返し、スリットを上記突起に係合して清掃用シートを固定するようにすることもできる。
【特許文献２】特開平９−１４０６５１号公報：特徴「把手と、この把手に連接された保持板と、この保持板に付設された弾性体とを備え、この弾性体に繊維布を着脱自在に被せる掃除具において、前記保持板と前記弾性体との接合部に任意にはずすことのでき嵌合部を設けておき、前記繊維布の端部をその嵌合部に前記弾性体の弾力を利用して挟み込む構造を特徴とする掃除具。
【特許文献３】特開２００４−１５９９１６号公報：特徴「フローリングワイパーが、ワイパーと、このワイパー本体に着脱自在のプレート状をした払拭部材とで形成されており、上記ワイパー本体は、取付ヘッドの押圧面の幅方向両端部寄りの位置に該取付ヘッドの長手方向に延びる２つの凹溝を有すると共に、各凹溝の長手方向両端部寄りの位置に、該凹溝の深さよりも高さが低いフックを有し、上記払拭部材２は、スポンジプレートの両面に着塵布を一体に固着することにより形成されていて、上記取付ヘッドのフックに係止する複数の係止孔を有する。
【特許文献４】特開２００５−１９８９７６号公報：特徴「拭取シートを装着するためのワイパーヘッドと、該ワイパーヘッドに連結された柄とからなるフローリングワイパーにおいて、上記ワイパーヘッドが、基板の下面にパッドを取り付けることにより形成され、該パッドは、独立気泡を有する軟質のスポンジ体により平板状に形成されていて、一部に形成された接着部において上記基板の下面に部分的に接着されると共に、該基板５に接着されていない非接着部に、該パッドを厚さ方向に貫通する少なくとも１つの通気孔（空気抜き用の孔）を有する。
【考案の概要】
【考案が解決しようとする課題】
【０００４】  前記各特許文献の何れも次の課題を有する。
即ち、フローリングワイパーは、フローリングシートが床面の形状に合わせてフィットし床面に存在する塵埃を適確に補足することが必要であるがヘッド下面が平面のため該フィット性が悪く塵埃補足が困難である。
またフローリングシートの使用は片面のみで後は使い捨てとするため不経済であるとともにワイパーヘッドからの着脱に煩雑な手間がいる。
一方、一回の清掃作業の間にフローリングシートの位置がずれて拭き残しが多発する危険性がある。
さらに、ワイパーヘッドには、複雑な追加部材を利用してフローリングシートを着脱自在な構造にしており全体構造のうえから適切ではない。
【課題を解決するための手段】
【０００５】  本考案はこのような課題を全て満足するものであって、その特徴とする技術的特徴は次の（１）の通りである。【０００６】  （１）、すなわち、本考案は、掃除する人が操作する長い把手と、この把手の先端に首振り可能に連接されたワイパーヘッドとからなるフローリングワイパーにおいて、前記ワイパーヘッドの下面に弾性変形可能なパッドを配設し、このパッドの下面にクッション凹凸部を形成し、このパッドを介してフローリングシートを押し圧保持しながら床面に沿って滑り接触清掃可能にしたことを特徴とするフローリングワイパー。【０００７】  本考案において弾性変形可能なパッドとは、塑性変形をせずクッション作用を有し且つフローリングシートに対してふんわりと押し圧して引きずり可能な摩擦抵抗を有するものであり、スポンジ製、ゴム樹脂製、天然ゴム製、繊維フェルト製等を言う。
またこのパッドに形成するクッション凹凸部とは、波型、Π型、三角型、碁盤目型、市松模様型等のエンボス型形状等を言うが必ずしもこれらに限定することは無い。
このクッション凹凸部は、例えばパッドの幅方向又は長手方向に対して所定間隔で平行及び／又は直角に形成し、或いは斜め方向に形成すればよい。
叉、パッドはワイパーヘッドの下面と同じ形状にした厚紙、プラスチック板などの基板の下面にスポンジ片を間隔をおいて配列してクッション凹凸部を形成して、該基板の上面をのり面にして保護シール貼り、この保護シールを剥して該のり面をワイパーヘッドの下面に貼りつけるワンタッチ交換タイプにすることが好ましい。
【考案の効果】
【０００８】  本考案のフローリングワイパーは、ワイパーヘッドによるふんわりパッドの押し圧操作と前記パッドのクッション凹凸部によりフローリングシートを床面の形状に合わせてフィットさせ且つフローリングシートの位置ずれを防止して床面に存在する塵埃を適確に拭き補足するものである。
またフローリングシートを開いた状態のまま床に広げておけばワイパーヘッドの押し圧操作とその解除のみで、簡単にシートの着脱と押し圧引きずり動作ができる。このため、フローリングシートの表面及び裏面の両面の全面を清掃稼働面にすることが出来る。また使用後の使い捨てを簡便にした。
更に、ワイパーヘッドの押し圧操作による清掃中は、フローリングシートが前記パッドの前後・両側にはみ出る場合はそのはみ出し部分がフリル状になり、そのフリルが家具などとの境界部では家具に接触損傷することなく綺麗に拭き取ってくれることを実現した。
【図面の簡単な説明】
【０００９】
【図１】実施例１のフローリングワイパー１０の斜視説明図である。
【図２】実施例２のフローリングワイパー１１の斜視説明図である。
【図３】実施例３のフローリングワイパー１２の斜視説明図である。
【図４】実施例１におけるワンタッチ交換タイプのパッド４００Ａの拡大斜視説明図である。
【図５】実施例２におけるワンタッチ交換タイプのパッド４００Ｂの拡大斜視説明図である。
【図６】実施例３におけるワンタッチ交換タイプのパッド４００Ｃの拡大斜視説明図である。
【考案を実施するための形態】
【００１０】  考案を実施するための形態を次に記載の図１〜３に示す実施例１〜実施例３により詳細に説明する。
【実施例１】
【００１１】  図１に示す実施例のフローリングワイパー１０は、掃除する人が操作する長い把手１００と、この把手１００の先端に回転及び前後傾斜機構２００で首振り可能に連接されたワイパーヘッド３００とからなる。
前記ワイパーヘッド３００はその下面に図４に示すパッド４００Ａを配設し、このパッド４００Ａの下面にヘッドの幅方向に延在するスポンジ製のクッション凹凸部４００−１を形成してある。
パッド４００Ａは、図４において、ワイパーヘッドの下面と同じ形状にした厚紙、プラスチック板などの基板４１に短冊状にした長片のスポンジ４２を間隔をおいて配列貼りしてクッション凹凸部４００−１を形成してあり、保護シール４３を剥して、のり面を露出した該基板４１をワイパーヘッド３００の下面に貼りつけるワンタッチ交換タイプである。
このパッド４００Ａのクッション凹凸部４００−１を介して床面Ｆにひろげたフローリングシート５００に押し当てて保持して床面Ｆに沿って滑り接触させるだけで、瞬時に床面の塵埃清掃をするものである。
フローリングシート５００の表面が汚れればワイパーヘッド３００を把手１００で持ち上げてフローリングシート５００を裏返しすれば直ちにワンタッチで裏面での床面清掃を可能にする優れものである。
【実施例２】
【００１２】  図２に示す実施例のフローリングワイパー１１は、掃除する人が操作する長い把手１００と、この把手１００の先端に回転及び前後傾斜機構２００で首振り可能に連接されたワイパーヘッド３００とからなる。
前記ワイパーヘッド３００はその下面に図５に示すパッド４００Ｂを配設し、このパッド４００Ｂの下面にヘッドの長手方向に延在する弾性変形可能なゴム製のクッション凹凸部４００−２を形成してある。
パッド４００Ｂは、図５において、ワイパーヘッドの下面と同じ形状にした厚紙、プラスチック板などの基板４１に短冊状にした長片のスポンジ４２を間隔をおいてヘッド長手方向に配列貼りしてクッション凹凸部４００−２を形成してあり、保護シール４３を剥して、のり面を露出した該基板４１をワイパーヘッド３００の下面に貼りつけるワンタッチ交換タイプである。
このパッド４００Ｂのクッション凹凸部４００−１を介して床面Ｆにひろげたフローリングシート５００に押し当てて保持して床面Ｆに沿って滑り接触させるだけで、瞬時に床面の塵埃清掃をするものである。
フローリングシート５００の表面が汚れればワイパーヘッド３００を把手１００で持ち上げてフローリングシート５００を裏返しすれば直ちにワンタッチで裏面での床面清掃を可能にする優れものである。
【実施例３】
【００１３】  図３に示す実施例のフローリングワイパー１２は、掃除する人が操作する長い把手１００と、この把手１００の先端に回転及び前後傾斜機構２００で首振り可能に連接されたワイパーヘッド３００とからなる。
前記ワイパーヘッド３００はその下面に図６に示すパッド４００Ｃを配設し、このパッド４００Ｃの下面にヘッドの長手方向と幅方向に千鳥状にスポンジ４２を配置のクッション凹凸部４００−３を形成してある。
パッド４００Ｃは、図６において、ワイパーヘッドの下面と同じ形状にした厚紙、プラスチック板などの基板４１に直方体と正方体にしたスポンジ４２を間隔をおいて千鳥配列貼りしてクッション凹凸部４００−３を形成してあり、保護シール４３を剥して、のり面を露出した該基板４１をワイパーヘッド３００の下面に貼りつけるワンタッチ交換タイプである。
このパッド４００Ｃのクッション凹凸部４００−１を介して床面Ｆにひろげたフローリングシート５００に押し当てて保持して床面Ｆに沿って滑り接触させるだけで、瞬時に床面の塵埃清掃をするものである。
フローリングシート５００の表面が汚れればワイパーヘッド３００を把手１００で持ち上げてフローリングシート５００を裏返しすれば直ちにワンタッチで裏面での床面清掃を可能にする優れものである。
【産業上の利用可能性】
【００１４】  本考案のフローリングワイパーは前記の優れた作用効果を呈して、フローリング清掃業界に貢献すること多大なものがあり産業上の利用可能性は極めて高い。
【符号の説明】
【００１５】１０、１１，１２：フローリングワイパー                １００：把手
２００：回転及び前後傾斜機構                          ３００：ワイパーヘッド
４００Ａ，４００Ｂ，４００Ｃ：ワンタッチ交換タイプのパッド  Ｆ：床面（フローリング）
４００−１、４００−２、４００−３：クッション凹凸部
５００：フローリングシート
４１：基板
４２：スポンジ片
４３：保護シール
【図１】
0003222284.tif 000003
【図２】
0003222284.tif 000004
【図３】
0003222284.tif 000005
【図４】
0003222284.tif 000006
【図５】
0003222284.tif 000007
【図６】
0003222284.tif 000008